(57)【要約】【課題】携帯情報機器において、筐体の外面に備えられた表示手段を用いた処理に対してユーザが必要とされる操作をより容易なものとする。【解決手段】携帯電話機１では、第２表示部１２の近傍に設けられた１つの操作キー１５を複数種類の操作態様（「ダブルクリック」「クリック」「長押し」）を適切に組み合わせて操作することによって、第２表示部１２に表示される、アプリケーションを実行するための設定内容についてのメニューの内容が変更されたり、また、携帯電話機１内の設定内容記憶部に記憶されるアプリケーションについての設定内容の更新が行なわれたりする。【選択図】図１
2008085445.tif 000002
【特許請求の範囲】
【請求項１】
第１の筐体と、
第２の筐体と、
前記第１の筐体と前記第２の筐体を折り畳み可能に連結する連結部と、
前記第１の筐体と前記第２の筐体が折り畳まれた状態で外面に設けられた表示手段と、
前記第１の筐体と前記第２の筐体が折り畳まれた状態で操作可能な位置に、前記表示手段の表示内容に関連した情報を入力するために設けられた単一の操作手段と、
前記表示手段の表示制御を含む複数のアプリケーションを実行可能な制御手段と、
前記制御手段が実行するアプリケーションについてのメニューを記憶する第１の記憶手段と、
前記制御手段が実行する動作に対する設定内容を記憶する第２の記憶手段とを含み、
前記制御手段は、
前記第１の記憶手段に記憶されたメニューに対応した内容を前記表示手段に表示させ、
前記操作手段に対する操作の種類に応じて、前記表示手段の表示に対応させるメニューを変更するか、または、前記表示手段の表示に対応したメニューを前記第２の記憶手段に記憶させる、携帯情報機器。
【請求項２】
筐体と、
前記筐体の外面に設けられた表示手段と、
前記筐体の外面に設けられ、前記表示手段の表示内容に関連した情報を入力するために設けられた単一の操作手段と、
前記表示手段の表示制御を含む複数のアプリケーションを実行可能な制御手段と、
前記制御手段が実行するアプリケーションについてのメニューを記憶する第１の記憶手段と、
前記制御手段が実行する動作に対する設定内容を記憶する第２の記憶手段とを含み、
前記制御手段は、
前記第１の記憶手段に記憶されたメニューに対応した内容を前記表示手段に表示させ、
前記操作手段に対する操作の種類に応じて、前記表示手段の表示に対応させるメニューを変更するか、または、前記表示手段の表示に対応したメニューを前記第２の記憶手段に記憶させる、携帯情報機器。
【請求項３】
前記表示手段および前記操作手段は、前記第１の筐体に設けられる、請求項１または請求項２に記載の携帯情報機器。
【請求項４】
前記第１の記憶手段は、複数のメニューを階層化して記憶し、
前記制御手段は、前記操作手段に対する操作の種類に応じて、
前記表示手段の表示に対応させるメニューを前記第１の記憶手段において１つ下の階層として記憶されているメニューに変更するか、
前記表示手段の表示に対応させるメニューを前記第１の記憶手段において同じ階層として記憶されているメニューに変更するか、
前記表示手段の表示に対応させるメニューを前記第１の記憶手段において１つ上の階層として記憶されているメニューに変更するか、または、
前記表示手段の表示に対応しているメニューを前記第２の記憶手段に記憶させる、請求項１〜請求項３のいずれかに記載の携帯情報機器。
【請求項５】
前記制御手段は、
前記操作手段に対して第１の種類の操作がなされた場合には、前記表示手段の表示に対応させるメニューを前記第１の記憶手段において１つ下の階層として記憶されているメニューに変更し、
前記操作手段に対して前記第１の種類とは異なる第２の種類の操作がなされた場合には、前記表示手段の表示に対応させるメニューを前記第１の記憶手段において同じ階層として記憶されているメニューに変更するか、または、前記表示手段の表示に対応させるメニューを前記第１の記憶手段において１つ上の階層として記憶されているメニューに変更し、
前記操作手段に対して前記第１および第２の種類とは異なる第３の種類の操作がなされた場合には、前記表示手段の表示に対応しているメニューを前記第２の記憶手段に記憶させる、請求項４に記載の携帯情報機器。
【請求項６】
前記制御手段は、前記操作手段に対する所定時間内の操作回数または継続的に操作した時間に基づいて、前記操作手段に対する操作の種類を判定する、請求項４または請求項５に記載の携帯情報機器。
【請求項７】
外部の機器と通信するための通信手段をさらに含み、
前記制御手段は、前記表示手段に所定のメニューに対応した表示であってリンク情報を含む情報の表示がなされているときに、前記操作手段に対して特定の操作がなされた場合には、前記通信手段を介して前記リンク情報に基づいた情報を取得し、前記表示手段に当該取得した情報を表示させる、請求項１〜請求項６のいずれかに記載の携帯情報機器。
【発明の詳細な説明】
【技術分野】
【０００１】
本発明は、携帯情報機器に関し、特に、筐体の外面側に表示手段を備える携帯情報機器に関するものである。
【背景技術】
【０００２】
ＰＤＡ（Personal Digital Assistant）や携帯電話等の携帯情報機器の中で、筐体の外面に位置する表示器、または、筐体が折り畳み可能な場合に折り畳まれた状態で外面側に位置する表示器を有するものがある。
【０００３】
そして、このような表示器について、表示内容の設定に関し、種々技術が開示されてきた。
【０００４】
たとえば、特許文献１および特許文献２には、別の表示器（メインディスプレイ）に表示されるメニュー画面に従って、上記のような表示器の表示内容の設定を行なう技術が開示されている。
【０００５】
また、特許文献３には、表示器の近傍に設けられた操作ボタンを操作することにより、一時的に、表示器の表示内容の変更を行なう技術が開示されている。
【特許文献１】特開２００１−２８５４４５号公報
【特許文献２】特開２００３−２０９６０２号公報
【特許文献３】特開２００３−９９１５６号公報
【発明の開示】
【発明が解決しようとする課題】
【０００６】
しかしながら、特許文献１または特許文献２に記載される技術では、上記のような表示器の表示設定を別の表示器の表示を見ながら行なう必要があり、また、表示設定を行なうたびにメニュー画面を表示させた後で設定を希望する項目を選択する必要があったため、操作が煩雑であるという問題があった。
【０００７】
また、特許文献３に記載される技術では、ボタンが操作された場合、一時的にしか表示内容を変更することができなかったため、変更した表示内容を維持することができず、表示内容の変更を希望するたびに操作を必要とするため、煩雑な操作を要するという問題があった。
【０００８】
つまり、従来の携帯情報機器では、上記したような表示器を用いて操作を行なう場合、煩雑な操作を必要とされていた。
【０００９】
本発明は、かかる実情に鑑み考え出されたものであり、その目的は、携帯情報機器において、筐体の外面に備えられた表示手段を用いた処理に対してユーザが必要とされる操作をより容易なものとすることである。
【課題を解決するための手段】
【００１０】
本発明の或る局面に従った携帯情報機器は、第１の筐体と、第２の筐体と、前記第１の筐体と前記第２の筐体を折り畳み可能に連結する連結部と、前記第１の筐体と前記第２の筐体が折り畳まれた状態で外面に設けられた表示手段と、前記第１の筐体と前記第２の筐体が折り畳まれた状態で操作可能な位置に、前記表示手段の表示内容に関連した情報を入力するために設けられた単一の操作手段と、前記表示手段の表示制御を含む複数のアプリケーションを実行可能な制御手段と、前記制御手段が実行するアプリケーションについてのメニューを記憶する第１の記憶手段と、前記制御手段が実行する動作に対する設定内容を記憶する第２の記憶手段とを含み、前記制御手段は、前記第１の記憶手段に記憶されたメニューに対応した内容を前記表示手段に表示させ、前記操作手段に対する操作の種類に応じて、前記表示手段の表示に対応させるメニューを変更するか、または、前記表示手段の表示に対応したメニューを前記第２の記憶手段に記憶させることを特徴とする。
【００１１】
本発明の他の局面に従った携帯情報機器は、筐体と、前記筐体の外面に設けられた表示手段と、前記筐体の外面に設けられ、前記表示手段の表示内容に関連した情報を入力するために設けられた単一の操作手段と、前記表示手段の表示制御を含む複数のアプリケーションを実行可能な制御手段と、前記制御手段が実行するアプリケーションについてのメニューを記憶する第１の記憶手段と、前記制御手段が実行する動作に対する設定内容を記憶する第２の記憶手段とを含み、前記制御手段は、前記第１の記憶手段に記憶されたメニューに対応した内容を前記表示手段に表示させ、前記操作手段に対する操作の種類に応じて、前記表示手段の表示に対応させるメニューを変更するか、または、前記表示手段の表示に対応したメニューを前記第２の記憶手段に記憶させることを特徴とする。
【００１２】
また、本発明に従った携帯情報機器では、前記表示手段および前記操作手段は、前記第１の筐体に設けられることが好ましい。
【００１３】
また、本発明に従った携帯情報機器では、前記第１の記憶手段は、複数のメニューを階層化して記憶し、前記制御手段は、前記操作手段に対する操作の種類に応じて、前記表示手段の表示に対応させるメニューを前記第１の記憶手段において１つ下の階層として記憶されているメニューに変更するか、前記表示手段の表示に対応させるメニューを前記第１の記憶手段において同じ階層として記憶されているメニューに変更するか、前記表示手段の表示に対応させるメニューを前記第１の記憶手段において１つ上の階層として記憶されているメニューに変更するか、または、前記表示手段の表示に対応しているメニューを前記第２の記憶手段に記憶させることが好ましい。
【００１４】
また、本発明に従った携帯情報機器では、前記制御手段は、前記操作手段に対して第１の種類の操作がなされた場合には、前記表示手段の表示に対応させるメニューを前記第１の記憶手段において１つ下の階層として記憶されているメニューに変更し、前記操作手段に対して前記第１の種類とは異なる第２の種類の操作がなされた場合には、前記表示手段の表示に対応させるメニューを前記第１の記憶手段において同じ階層として記憶されているメニューに変更するか、または、前記表示手段の表示に対応させるメニューを前記第１の記憶手段において１つ上の階層として記憶されているメニューに変更し、前記操作手段に対して前記第１および第２の種類とは異なる第３の種類の操作がなされた場合には、前記表示手段の表示に対応しているメニューを前記第２の記憶手段に記憶させることが好ましい。
【００１５】
また、本発明に従った携帯情報機器では、前記制御手段は、前記操作手段に対する所定時間内の操作回数または継続的に操作した時間に基づいて、前記操作手段に対する操作の種類を判定することが好ましい。
【００１６】
また、本発明に従った携帯情報機器は、外部の機器と通信するための通信手段をさらに含み、前記制御手段は、前記表示手段に所定のメニューに対応した表示であってリンク情報を含む情報の表示がなされているときに、前記操作手段に対して特定の操作がなされた場合には、前記通信手段を介して前記リンク情報に基づいた情報を取得し、前記表示手段に当該取得した情報を表示させることが好ましい。
【発明の効果】
【００１７】
本発明によれば、ユーザは、制御手段が実行する動作に対する設定内容を記憶させる際に、単一の操作手段に対して異なる種類の操作を行なうことによって、当該設定内容を選択するための表示手段における表示内容を変更したり、設定内容を記憶させたりすることができる。
【００１８】
つまり、本発明によれば、表示手段の表示を見ながら当該表示手段を利用した動作（上記した表示内容の変更および設定内容の記憶）が可能となる。このことから、本発明によれば、ユーザは、表示手段を利用した動作を他の表示手段の表示を見ながら行なう必要がなくなり、また、同じ設定内容を何度も入力する必要がなくなるため、表示手段を用いた処理に対してユーザが必要とされる操作を容易なものとすることができる。
【発明を実施するための最良の形態】
【００１９】
以下、図面を参照しつつ、本発明の一実施の形態である携帯電話機について説明する。
図１および図２は、携帯電話機１の外観図である。携帯電話機１は、第１の筐体１０、第２の筐体２０、および、第１の筐体１０と第２の筐体２０を折り畳み可能に連結する連結部３０とを含む。そして、図１は、携帯電話機１において第１の筐体１０と第２の筐体２０が折り畳まれた状態を示し、図２は、携帯電話機１において第１の筐体１０と第２の筐体２０が開かれた状態を示す。
【００２０】
図１および図２を参照して、第１の筐体１０には、開かれた状態で内側に位置する面に第１表示部１１およびレシーバ孔１９が設けられている。また、第１の筐体１０には、折り畳まれた状態での外面側に第２表示部１２および操作キー１５が設けられている。第１表示部１１および第２表示部１２は、ＬＣＤ（liquid crystal display）からなる。
【００２１】
第２の筐体２０には、折り畳まれた状態で内側に位置する面に、テンキーを含むキー群であってダイヤルに利用する操作キー群２１、および、電話等の各種の機能設定に利用されるファンクションキーを含む操作キー群２２，２３が設けられている。なお、図１および図２では図示を省略しているが、第２の筐体２０には、操作キー群２１〜２３が設けられている面の裏面に、カメラ（後述するカメラ２６）が備えられている。そして、第２の筐体２０の側面には、カメラ２６の撮影に利用されるシャッタキー２５および撮影の際のズーム調整等のために利用される操作キー群２４が設けられている。また、第２の筐体２０の操作キー群２１の下方には、マイク孔２９が設けられている。
【００２２】
特に図１を参照して、第１の筐体１０において、第２表示部１２は、ほぼ長方形の形状を有している。そして、第２表示部１２の上下方向の中心は、第１の筐体１０の上下方向の中心よりも下方に位置している。また、操作キー１５は、第１の筐体１０において、第２表示部１２よりも下方に位置している。第１の筐体１０において第２表示部１２と操作キー１５がこのように配置されることにより、ユーザが携帯電話機１を図１に示されるように連結部３０が上端に位置するように握った場合、操作キー１５が操作されてもユーザの手中で携帯電話機１が安定して保持される。
【００２３】
図３は、携帯電話機１のハードウェア構成を模式的に示す図である。
図３を参照して、携帯電話機１は、上記した第１表示部１１、第２表示部１２、操作キー１５、操作キー群２１〜２４、シャッタキー２５、および、カメラ２６の他に、当該携帯電話機１の動作を全体的に制御する制御部５０を含む。
【００２４】
また、携帯電話機１は、第１表示部１１と第２表示部１２の表示態様をそれぞれ制御する表示制御部５１，５２を含む。また、携帯電話機１は、他の機器との間で情報の送受信を行なうための通信制御部８０およびアンテナ８１を含む。
【００２５】
また、携帯電話機１は、第１の筐体１０と第２の筐体２０が図１に示されたような折り畳まれた状態であるか図２に示されたような開いた状態であるかを検出する状態検出部５９を含む。なお、状態検出部５９は、たとえば、第１の筐体１０に設けられたマグネットと第２の筐体２０に設けられたセンサを含む回路からなる。そして、携帯電話機１において、第１の筐体１０と第２の筐体２０が折り畳まれた状態にあるときには、当該センサは上記マグネットの磁気を検出するが、開いた状態にあるときには、当該センサは上記マグネットの磁気を検出できないように構成されている。上記回路は、当該センサによる磁気の検出結果に基づいて携帯電話機１の開閉状態を検出し、そして、開閉状態に応じた信号を制御部５０へ出力する。
【００２６】
また、携帯電話機１は、電話機能のためのマイク５８およびレシーバ５６を含む。携帯電話機１では、電話機能が実現される際に、ユーザは、マイク孔２９を介してマイク５８に音声を入力し、レシーバ孔１９を介してレシーバ５６が出力する音声を聞く。さらに、携帯電話機１は、アラーム音等を出力するためのスピーカ５７を含む。携帯電話機１では、第１の筐体１０または第２の筐体２０のいずれかに設けられた孔（図示せず）を介して、スピーカ５７が出力する音声が外部へ出力される。そして、携帯電話機１では、マイク５８を介して入力された音声をデジタルデータに変換する音声入力制御部５５、レシーバ５６，５７から音声を出力するために音声データをアナログデータに変換する音声出力制御部５３，５４を含む。
【００２７】
携帯電話機１は、種々の情報を記憶する記憶部６０を含む。なお、記憶部６０には、制御部５０が実行する種々のアプリケーションについてのメニュー項目を記憶するメニュー情報記憶部６１、制御部５０が実行する種々のアプリケーションについての設定についての内容を特定する情報を記憶する設定内容記憶部６２、および、制御部５０が実行するアプリケーションのプログラムおよびプログラムを実行するために必要な種々のデータを記憶するデータ記憶部６３が含まれる。
【００２８】
表１に、メニュー情報記憶部６１に記憶される情報を模式的に示す。
【００２９】
【表１】
2008085445.tif 000003
【００３０】
表１から理解されるように、メニュー情報記憶部６１では、携帯電話機１で実行されるアプリケーションの動作設定に関する項目が、階層化されて記憶されている。
【００３１】
具体的には、まず、第１階層として、「時計」「音楽」「ニュース」という項目が記憶されている。「時計」は、第２表示部１２における時計表示のアプリケーションを意味する。「音楽」は、データ記憶部６３（または外部の機器）に記憶された音楽データを再生するアプリケーションを意味する。「ニュース」は、ネットワーク上の所定のサーバにアクセスすることにより当該サーバに格納されたニュースに関するＷｅｂコンテンツの配信を受けてニュース情報を表示するためのアプリケーションを意味する。
【００３２】
また、表１から理解されるように、「時計」に対応した第２階層として、「表示パターン」「表示色」「文字フォント」「文字の大きさ」というメニューが記憶されている。また、「表示パターン」に対応した第３階層としては「２４時間表示」「１２時間表示」というメニューが、「表示色」に対応した第３階層としては「青」「赤」というメニューが、「文字フォント」に対応した第３階層としては「フォントＡ」「フォントＢ」というメニューが、そして、「文字の大きさ」に対応した第３階層としては「大」「中」「小」というメニューが、それぞれ記憶されている。
【００３３】
「表示パターン」は、時計表示において、時刻を２４時間表示するか１２時間表示するかを設定するためのメニュー項目であり、そして、これに対応する第３階層には具体的な設定内容のメニュー項目が記憶されている。
【００３４】
「表示色」は、時計表示において、時刻情報を表示する色を設定するためのメニュー項目であり、そして、これに対応する第３階層には設定する色を具体的に特定するためのメニュー項目が記憶されている。なお、データ記憶部６３には、第３階層に記憶されている各メニュー項目に対応した色で時刻情報を表示させるための制御内容（色を指定する情報等）が記憶されている。これにより、制御部５０は、表示色が設定されることにより、データ記憶部６３から当該色で時刻情報を表示させるための制御内容を読み出し、それに基づいて制御動作を実行することにより、設定された表示色で第２表示部１２に時刻情報を表示させることができる。
【００３５】
「文字フォント」は、時計表示において、時刻情報を表示するフォントを設定するためのメニュー項目であり、そして、これに対応する第３階層には設定するフォントを具体的に特定するためのメニュー項目が記憶されている。なお、データ記憶部６３には、第３階層に記憶されている各メニュー項目に対応したフォントで時刻情報を表示させるための制御内容（フォントを指定するための情報等）が記憶されている。これにより、制御部５０は、フォントが設定されることにより、データ記憶部６３から当該フォントで時刻情報を表示させるための制御内容を読み出し、それに基づいて制御動作を実行することにより、設定されたフォントで第２表示部１２に時刻情報を表示させることができる。
【００３６】
「文字の大きさ」は、時計表示において、時刻情報を表示する文字の大きさを設定するためのメニュー項目であり、そして、これに対応する第３階層には設定する大きさを特定するためのメニュー項目が記憶されている。なお、データ記憶部６３には、第３階層に記憶されている各メニュー項目に対応した文字の大きさで時刻情報を表示させるための制御内容（文字のポイント数を指定するための情報等）が記憶されている。これにより、制御部５０は、文字の大きさが設定されることにより、データ記憶部６３から設定内容に対応した大きさで時刻情報を表示させるための制御内容を読み出し、それに基づいて制御動作を実行することにより、設定された大きさに対応したポイント数で第２表示部１２に時刻情報を表示させることができる。
【００３７】
また、表１から理解されるように、「音楽」に対応した第２階層として、「表示内容」「プレイリスト」「イコライザ」というメニューが記憶されている。また、「表示内容」に対応した第３階層としては「曲名」「曲名＋アーチスト名」というメニューが、「プレイリスト」に対応した第３階層としては「フォルダ１」「フォルダ２」というメニューが、そして、「イコライザ」に対応した第３階層としては「ノーマル」「ジャズ」「クラシック」「ロック」というメニューが、それぞれ記憶されている。
【００３８】
「表示内容」は、音楽再生において、第２表示部１２に表示させる情報の内容を設定するためのメニュー項目であり、そして、これに対応する第３階層には設定する内容を特定するためのメニュー項目が記憶されている。つまり、第３階層には、音楽再生時の第２表示部１２に、再生中の曲の曲名のみを表示させるメニュー（「曲名」）、および、再生中の曲の曲名と当該曲をプレイするアーチスト名を表示させるメニュー（「曲名＋アーチスト名」）が記憶されている。
【００３９】
「プレイリスト」は、音楽再生において、再生する曲を特定するためのメニュー項目である。なお、データ記憶部６３では、音楽データを格納するための複数のフォルダが定義されている。そして、「プレイリスト」に対応した第３階層としては、再生する音楽データが格納されているフォルダを指定するメニューが記憶されている。また、「プレイリスト」に関しては、第４階層として、第３階層で指定されたフォルダに記憶される曲の中のどの曲を再生するかを指定するメニュー項目が記憶されている。
【００４０】
「イコライザ」は、音楽再生において、曲を再生する際の周波数域ごとの音質の調整パターンを特定するためのメニュー項目である。表１には、具体的には、「ノーマル」「ジャズ」「クラシック」「ロック」の４種類のパターンに対応するメニューが第３階層として記憶されている。
【００４１】
なお、本実施の形態では、表１に記載された第１階層から第４階層について、階層に対して順位を定義している。具体的には、第１階層を最も上の階層とし、第４階層を最も下の階層として、以下説明を行なう。
【００４２】
また、表１に示されるように、第２階層から第４階層については、「上の階層へ」というメニューが適宜記憶されている。このメニューは、アプリケーションの実行に関する設定に利用されるメニューではなく、後述する折り畳み時制御処理に利用されるメニューである。
【００４３】
次に、表２に、設定内容記憶部６２における情報の記憶態様を模式的に示す。
【００４４】
【表２】
2008085445.tif 000004
【００４５】
設定内容記憶部６２には、携帯電話機１において実行される各アプリケーションについての設定内容が記憶される。なお、各アプリケーションについての設定内容は、後述するように、ユーザの操作キー１５に対する操作態様に応じて更新することができる。
【００４６】
また、表２には、「デフォルト」という項目が設けられており、そして、当該項目については、「時計表示」のアプリケーションに対応した箇所にチェックが入っている。「デフォルト」とは、携帯電話機１が折り畳まれた状態とされたときのデフォルト動作を特定する情報である。つまり、「デフォルト」の項目について「時計表示」のアプリケーションにチェックが入っている場合、携帯電話機１が折り畳まれると、第２表示部１２に時計表示がなされることを意味する。なお、「デフォルト」の項目については、いずれか１つのアプリケーションにのみチェックが入ることになる。また、「デフォルト」の項目についてどのアプリケーションにチェックが入るかについても、後述するように変更可能である。
【００４７】
制御部５０は、表１に示された全メニュー中の１つのメニューについてポインタを設定し、また、操作キー１５に対する操作に応じてポインタの位置を移動させ、そして、当該ポインタの位置を参照して第２表示部１２の表示制御を行なう。ポインタの位置に関する情報は、たとえばデータ記憶部６３に記憶される。
【００４８】
なお、ポインタ位置に基づいた表示制御としては、時計表示のアプリケーションに関しては、第１階層にポインタが位置する場合には、表２の時計表示に関する設定内容（表示パターン、表示色、文字フォント、および、文字の大きさに対応する設定内容）で第２表示部１２に時計表示がなされ、ポインタが第２階層または第３階層に位置する場合には、表１に示されたメニュー項目に対応する文字列（「表示パターン」「２４時間表示」等）が第２表示部１２に表示される。
【００４９】
音楽再生のアプリケーションに関しては、第１階層にポインタが位置する場合には、表２の「表示内容」に対応する設定内容に従った情報が第２表示部１２に表示される。第２階層および第３階層にポインタが位置する場合には、表１に示されたメニュー項目に対応する文字列（「表示内容」「プレイリスト」「イコライザ」「曲名」「フォルダ１」「ノーマル」等）が第２表示部１２に表示される。第４階層にポインタが位置する場合には、ポインタが位置する曲に関して表２の「表示内容」に対応する設定内容に従った情報が表示される。
【００５０】
ニュース情報の表示に関しては、ポインタは第１階層にのみ位置することができる。ポインタが「ニュース」に位置する場合には、第２表示部１２には、「ニュース情報」等のアプリケーションのタイトルが所定時間（たとえば、２秒間）表示された後、受信したニュース情報が表示される。
【００５１】
次に、携帯電話機１が折り畳まれた際に制御部５０が操作キー１５の操作に関して実行する処理（折り畳み時制御処理）について、当該処理のフローチャートである図４および図５を参照して説明する。なお、制御部５０は、状態検出部５９から入力される情報に基づいて、携帯電話機１が開いた状態から折り畳まれた状態に変更されたことを検出すると、この折り畳み時制御処理を開始する。
【００５２】
まず図４を参照して、折り畳み時制御処理では、制御部５０は、ステップＳ１で、デフォルト動作を実行し、ステップＳ２に処理を進める。なお、デフォルト動作とは、設定内容記憶部６２に記憶された情報に基づいた動作であり、具体的には、「デフォルト」の項目にチェックが入っているアプリケーションを実行する動作である。表２に示された例では、制御部５０は、デフォルト動作として、時計表示のアプリケーションを実行する。なお、このときの時計表示のアプリケーションが実行される場合、設定内容記憶部６２において記憶されるように（表２に示されるように）、表示パターンとしては２４時間表示が採用され、表示色としては青色が採用され、文字フォントとしてはフォントＢが採用され、そして、文字の大きさとしては「中」が採用される。デフォルト動作を実行する場合、制御部５０は、上記したポインタを当該動作に対応するアプリケーションの第１階層に位置させる。
【００５３】
ステップＳ２では、制御部５０は、操作キー１５に対してダブルクリック（図４では、「Ｗクリック」と記載）がなされたか否かを判断する。なお、本実施の形態では、操作キー１５に対する操作として「ダブルクリック」「クリック」「長押し」の３種類の操作が定義されている。制御部５０は、所定時間内に２回以上操作キー１５に対して押圧操作がなされたことを検出すると「ダブルクリック」がなされたと判断し、所定時間内に１回のみ操作キー１５に対して押圧操作がなされたことを検出すると「クリック」がなされたと判断し、そして、所定時間以上継続して操作キー１５が押圧操作されたことを検出すると「長押し」がなされたと判断する。そして、制御部５０は、ダブルクリックがなされたと判断するとステップＳ３へ、なされていないと判断するとステップＳ８へ、それぞれ処理を進める。
【００５４】
ステップＳ３では、制御部５０は、表１において現在のポインタ位置の１つ下の階層にメニューが記憶されているか否かを判断し、記憶されていると判断するとステップＳ４へ、記憶されていないと判断するとステップＳ５へ、それぞれ処理を進める。なお、ステップＳ３では、具体的には、たとえば、「時計」（時計表示のアプリケーションの第１階層）にポインタが位置する場合には、１つ下の階層（第２階層）に「表示パターン」等のメニューが記憶されているため、処理はステップＳ４に進められる。一方、「ジャズ」（音楽再生アプリケーションの第３階層）にポインタが位置する場合には、当該メニューに対応する１つ下の階層（第４階層）にメニューが記憶されていない（曲Ａ〜曲Ｃ，曲Ｄ〜曲Ｇは、フォルダ１，フォルダ２に対応する第４階層のメニューであって、「ジャズ」に対応する第４階層のメニューではない）ため、処理はステップＳ５に進められる。
【００５５】
ステップＳ４では、制御部５０は、１つ下の階層の１番目のメニューにポインタを移動させて、ステップＳ２に処理を戻す。なお、ポインタを移動させると、制御部５０は、それに応じて第２表示部１２における表示内容を変更する。
【００５６】
ステップＳ５では、制御部５０は、ポインタが表１中の「ニュース」（ニュース情報を表示するアプリケーションの第１階層）に位置するか否かを判断し、そうではないと判断されるとステップＳ２に処理が戻される。つまり、ポインタ位置が下の階層にメニューが記憶されていない位置であって「ニュース」以外の位置にある場合には、操作キー１５がダブルクリックされても、制御部５０は、第２表示部１２の表示内容を変更しない。一方、ポインタが「ニュース」に位置すると判断すると、制御部５０は、ステップＳ６に処理を進める。
【００５７】
ステップＳ６では、制御部５０は、通信制御部８０に、その時点で受信しているニュース情報に含まれるリンク情報にアクセスさせて、ステップＳ７に処理を進める。
【００５８】
ステップＳ７では、制御部５０は、ニュース情報の表示を第２表示部１２から第１表示部１１に移行させて、つまり、第２表示部１２を消灯し、かつ、受信した情報を第１表示部１１に表示させて、処理を終了させる。
【００５９】
なお、ステップＳ７の処理は、ステップＳ６でリンク情報にアクセスしたことによって得られる情報を継続して第２表示部１２に表示する処理に変更されても良い。なお、この場合には、折り畳み時制御処理は終了せず、ステップＳ２に処理が戻される。
【００６０】
ステップＳ８では、制御部５０は、操作キー１５がクリックされたか否かを判断し、クリックされたと判断するとステップＳ９へ、クリックされていないと判断するとステップＳ１１へ、それぞれ処理を進める。
【００６１】
ステップＳ９では、制御部５０は、現在のポインタ位置と同じ階層にメニューが記憶されているか否かを判断し、記憶されていると判断するとステップＳ１０へ処理を進め、当該ステップＳ１０で、同じ階層の次のメニューへポインタ位置を移動させて、ステップＳ２に処理を戻す。一方、ステップＳ９で、現在のポインタ位置と同じ階層に他にメニューが記憶されていないと判断するとそのままステップＳ２へ処理を戻す。
【００６２】
ステップＳ１１では、制御部５０は、操作キー１５が長押しされたか否かを判断し、長押しされたと判断するとステップＳ１２へ処理を進め、されていないと判断するとステップＳ２へ処理を戻す。
【００６３】
ステップＳ１２では、制御部５０は、現在のポインタ位置が第１階層であるか否かを判断し、そうであると判断するとステップＳ１３へ、そうではないと判断するとステップＳ１４へ、それぞれ処理を進める。
【００６４】
ステップＳ１３では、制御部５０は、現在のポインタ位置に対応するアプリケーションをデフォルト動作として登録して、ステップＳ２に処理を戻す。なお、デフォルト動作として登録するとは、表２中のデフォルトの項目の対応するアプリケーションの欄にチェックが入った状態とすることを言う。なお、本実施の形態では、デフォルトの項目の欄のチェックは、同時に２つのアプリケーションには入れられないものである。
【００６５】
ステップＳ１４では、制御部５０は、現在のポインタ位置が「上の階層へ」というメニューであるか否かを判断し、そうであると判断するとステップＳ１５へ、そうではないと判断するとステップＳ１６へ、それぞれ処理を進める。
【００６６】
ステップＳ１５では、制御部５０は、ポインタ位置を１つ上の階層の次のメニューに変更して、ステップＳ２に処理を戻す。なお、「１つ上の階層の次のメニュー」とは、現在のポインタ位置の１つ上の階層における現在のポインタ位置が対応するメニューの次（表１において１つ下）のメニューである。たとえば、時計表示アプリケーションについての第２階層中の「上の階層へ」にポインタが位置する場合、「現在のポインタ位置の１つ上の階層」は「第１階層」であり、「現在のポインタ位置の１つ上の階層における現在のポインタ位置が対応するメニュー」は「時計」であり、そして、その次のメニューは「音楽」となる。
【００６７】
ステップＳ１６では、制御部５０は、ステップＳ３と同様に、表１において現在のポインタ位置の１つ下の階層にメニューが記憶されているか否かを判断し、記憶されていると判断するとステップＳ２へ処理を戻し、記憶されていないと判断するとステップＳ１７へ処理を進める。
【００６８】
ステップＳ１７では、制御部５０は、設定内容記憶部６２の記憶内容を現在のポインタ位置に対応するメニューに更新して、ステップＳ２に処理を戻す。なお、ステップＳ１７では、具体的には、たとえば「曲名」にポインタが位置する場合、ステップＳ１７では、表示内容に対応する設定内容が「曲名」にされた状態で設定内容記憶部６２が更新される。
【００６９】
以上説明した折り畳み時制御処理では、携帯電話機１は、第１の筐体１０と第２の筐体２０を開かれた後に折り畳まれると、設定内容記憶部６２に記憶されたデフォルト動作を特定する情報に基づいて、デフォルト動作を実行する。これにより、ユーザは、折り畳む際にいちいち設定しなくとも、記憶させておいたデフォルト動作を携帯電話機１に実行させることができる。
【００７０】
また、以上説明した折り畳み時制御処理では、制御部５０は、設定内容記憶部６２に記憶されたデフォルト動作についての設定内容を、操作キー１５の操作態様に応じて変更（更新）できる。
【００７１】
以上説明した本実施の形態では、第２表示部１２の近傍に設けられた１つの操作キー１５を複数種類の操作態様（本実施の形態では、「ダブルクリック」「クリック」「長押し」）を適切に組み合わせて操作することによって、第２表示部１２にアプリケーションを実行するための設定内容についてのメニューの表示を変更させたり、設定内容記憶部６２に記憶される設定内容の更新を行なったりすることができる。また、１つという最小の数の操作キーを備えるだけで、メニューの表示の変更や設定内容の更新が可能となるため、携帯情報機器の小型化に寄与することができる。
【００７２】
また、本実施の形態では、アプリケーションに関するメニューが、表１に示したように階層化されて記憶されているため、ユーザは、より少ない操作で、所望のメニューに対応した情報を第２表示部１２に表示させることができる。
【００７３】
なお、本発明に従った携帯情報機器における「複数種類の操作態様」は３種類に限定されず、表１に示したようなメニュー項目に関し、ポインタ位置を１つ上の階層に移動させるための操作態様、ポインタ位置を１つ下の階層に移動させるための操作態様、ポインタ位置を同じ階層の他のメニューに移動させるための操作態様、および、ポインタ位置に対応するメニューを携帯情報機器における動作の設定内容として記憶するための操作態様のそれぞれに対応させるように、４種類であっても良い。
【００７４】
また、操作態様についても、上記した３種類に限定されず、「トリプルクリック」（所定時間内に３回操作手段（操作キー１５）が操作（押圧）される操作態様）などの他の態様を含んでも良い。
【００７５】
また、以上説明した本実施の形態では、本発明に従った携帯情報機器は折り畳み可能に連結された２つの筐体を含むように構成されているが、これに限定されず、筐体は１つであっても良い。なお、筐体が１つの場合、図４および図５を参照して説明したような折り畳み時制御処理は、２つの筐体が折り畳まれたことではなく、他の条件（筐体が振られることによって所定値以上の衝撃を与えられた場合、等）を起因として開始される等、適宜修正が加えられることが好ましい。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７７】
【図１】本発明の一実施の形態である携帯電話機の、第１の筐体と第２の筐体が折り畳まれた状態での外観図である。
【図２】本発明の一実施の形態である携帯電話機の、第１の筐体と第２の筐体が開かれた状態での外観図である。
【図３】図１の携帯電話機のハードウェア構成を模式的に示す図である。
【図４】図３の制御部が実行する折り畳み時制御処理のフローチャートである。
【図５】図３の制御部が実行する折り畳み時制御処理のフローチャートである。
【符号の説明】
【００７８】
１  携帯電話機、１０  第１の筐体、１１  第１表示部、１２  第２表示部、１５  操作キー、１９  レシーバ孔、２０  第２の筐体、２１〜２４  操作キー群、２５  シャッタキー、２６  カメラ、２９  マイク孔、３０  連結部、５０  制御部、５１，５２  表示制御部、５３，５４  音声出力制御部、５５  音声入力制御部、５６  レシーバ、５７  スピーカ、５８  マイク、５９  状態検出部、６０  記憶部、６１  メニュー情報記憶部、６２  設定内容記憶部、６３  データ記憶部、８０  通信制御部、８１  アンテナ。
【図１】
2008085445.tif 000005
【図２】
2008085445.tif 000006
【図３】
2008085445.tif 000007
【図４】
2008085445.tif 000008
【図５】
2008085445.tif 000009